(57)【要約】【課題】スタンプ台を立て置くことにより、使用していないときのスタンプ台の占める面積を小さくすることができる立型スタンプ台を提供する【解決手段】インキ吸蔵体３を収容した本体１とフタ体２とからなり、本体１の側部５にスタンプ台を立てるための２つの脚部４を有する立型スタンプ台。前記本体とフタ体とが分離できる。前記脚部が本体を支えて立て、該本体にフタ体が嵌合している。前記スタンプ台が傾斜して立っていて、前記スタンプ台を立てたときの本体の底面と、脚部が接触している平面との間の角度が７５度以上８５度以下である。前記使用するときにはスタンプ台を横にして使用し、使用していないときにはスタンプ台を立ておく。【選択図】図１
2007168389.tif 000002
【特許請求の範囲】
【請求項１】
インキ吸蔵体を収容した本体とフタ体とからなるスタンプ台であって、前記本体の側部にスタンプ台を立てるための脚部を有することを特徴とする立型スタンプ台。
【請求項２】
前記脚部が本体を支えて立て、該本体にフタ体が嵌合していることを特徴とする請求項１に記載の立型スタンプ台。
【請求項３】
前記スタンプ台が傾斜して立っていることを特徴とする請求項１または２に記載の立型スタンプ台。
【請求項４】
前記スタンプ台を立てたときの本体の底面と、脚部が接触している平面との間の角度が７５度以上８５度以下であることを特徴とする請求項１乃至３のいずれかの項に記載の立型スタンプ台。
【請求項５】
前記使用するときにはスタンプ台を横にして使用し、使用していないときにはスタンプ台を立ておくことを特徴とする請求項１乃至４のいずれかの項に記載の立型スタンプ台。
【発明の詳細な説明】
【技術分野】
【０００１】
本発明は、スタンプ台を立て置くことができる立型スタンプ台に関する。
【背景技術】
【０００２】
従来、スタンプ台はゴム印を捺印するために広範囲に使用されている。スタンプ台は、インキ吸蔵体を設けた本体とフタ体とからなり、各種の大きさや形状のものが知られている。
【０００３】
それらの中には、本体とフタ体が分離して開閉されるスタンプ台がある。このスタンプ台を使用してゴム印を捺印するには、本体を机等の平面に置き、フタ体の側壁を指で押さえて上方に持ち上げ、フタ体を本体から分離し、ゴム印をスタンプ台のインキ吸蔵体に軽く押圧してインキを付け、紙などの被捺印物に捺印する。捺印した後は、フタ体を本体に被せてふたをする（特許文献１）。
【特許文献１】実用新案登録第３０２０２１８号
【発明の開示】
【発明が解決しようとする課題】
【０００４】
従来のスタンプ台は、使用するとき、又は使用していないときのいずれにおいてもスタンプ台を横にして机等の平面に置いている。そのために、スタンプ台が占める面積は本体の平面積となり、また複数箇のスタンプ台を置く時には、スタンプ台が占める面積は大きくなる。特に、使用していないときのスタンプ台の占める面積は、１個でも複数箇のスタンプ台でも作業の邪魔になるものである。
【０００５】
本発明者は、このようなスタンプ台の占める面積を小さくするためには、スタンプ台を立ておけばよいことに着目し、本発明に到達した。
本発明は、使用していないときのスタンプ台の占める面積を小さくすることができる立型スタンプ台を提供するものである。
【課題を解決するための手段】
【０００６】
すなわち、本発明は、インキ吸蔵体を収容した本体とフタ体とからなるスタンプ台であって、前記本体の側部にスタンプ台を立てるための脚部を有することを特徴とする立型スタンプ台である。
【発明の効果】
【０００７】
本発明は、スタンプ台を立て置くことにより、使用していないときのスタンプ台の占める面積を小さくすることができる立型スタンプ台を提供することができる。
【発明を実施するための最良の形態】
【０００８】
本発明の立型スタンプ台は、インキ吸蔵体を収容した本体とフタ体とからなるスタンプ台であって、前記本体の側部にスタンプ台を立てるための脚部を有することを特徴とする。
【０００９】
前記本体とフタ体とが分離できることが好ましい。
前記脚部が本体を支えて立て、該本体にフタ体が嵌合していることが好ましい。
前記スタンプ台が傾斜して立っていることが好ましい。
【００１０】
前記スタンプ台を立てたときの本体の底面と、脚部が接触している平面との間の角度が７５度以上８５度以下であることが好ましい。
前記使用するときにはスタンプ台を横にして使用し、使用していないときにはスタンプ台を立ておくことが好ましい。
【実施例】
【００１１】
以下、実施例を示し本発明をさらに具体的に説明する。
実施例１
以下、図面に基づき具体的に説明する。
【００１２】
図１は、本発明の立型スタンプ台の一実施態様を示す概略図であり、図１（ａ）は正面図、図１（ｂ）はＡＡ線断面図を示す。図２は、本発明の立型スタンプ台の一実施態様を示す側面図である。
【００１３】
同図１、２において、立型スタンプ台１０は、インキ吸蔵体３を収容した本体１とフタ体２とからなり、本体１の側部５にスタンプ台を立てるための２つの脚部４を有する。６はフタ体に設けられている凸部である。
【００１４】
本体１に設けられた脚部５は、本体１を支えて立てる機能をし、該本体１にフタ体２が嵌合していて、本体１とフタ体２は分離できる。
立型スタンプ台１０は転倒しないように、後方に傾斜して立っていることが好ましい。具体的には、図２に示す様に、スタンプ台を立てたときの本体１の底面７と、脚部４が接触している平面８との間の角度θが７５度以上８５度以下、さらには８０度であることが好ましい。
【００１５】
脚部５の一方の後側部１１は、スタンプ台を使用するときに横にするために、本体１の底面７と同一平面となるように形成される。脚部５の他方の先側部１２は、スタンプ台を立てたときに安定する様に、前方に突き出た様に形成される。
【００１６】
立型スタンプ台の形状は、立てたときに転倒しないような形状で、重心がなるべく下にあるものであればよい。例えば、図１に示す様なしずく形、三角形、台形、正方形、楕円形、長方形などが挙げられる。
【００１７】
立型スタンプ台１０は、使用するときにはスタンプ台を横にして使用し、使用していないときにはスタンプ台を立ておくことが好ましい。
図３は、本発明の立型スタンプ台を使用するときの一実施態様を示す概略図である。スタンプ台は机等の平面に置かれて横にして使用される。本体１は平面上に置かれ、本体１からフタ体２を取り、ゴム印を本体１のインキ吸蔵体３に軽く押圧してインキを付け、紙などの被捺印物に捺印する。
【００１８】
立型スタンプ台は、使用していないときには、図１に示す様に、スタンプ台を立て置くことにより、使用していないときのスタンプ台の占める面積を小さくすることができる。特に、複数箇の立型スタンプ台を用いるときには、占める面積を小さくできる効果が大きい。
【産業上の利用可能性】
【００１９】
本発明の立型スタンプ台は、スタンプ台を立て置くことにより、使用していないときのスタンプ台の占める面積を小さくすることができるので、設置面積を小さくしたスタンプ台として利用することができる。
【図面の簡単な説明】
【００２０】
【図１】本発明の立型スタンプ台の一実施態様を示す概略図である。
【図２】本発明の立型スタンプ台の一実施態様を示す側面図である。
【図３】本発明の立型スタンプ台を使用するときの一実施態様を示す概略図である。
【符号の説明】
【００２１】
１  本体
２  フタ体
３  インキ吸蔵体
４  脚部
５  側部
６  凸部
７  底面
８  平面
１０  立型スタンプ台
１１  後側部
１２  先側部
【図１】
2007168389.tif 000003
【図２】
2007168389.tif 000004
【図３】
2007168389.tif 000005